(57)【要約】【課題】照明の対象それぞれの分光反射率の差の影響を受けることなく、色が類似した対象の色の違いを容易に判別させることを課題とする。【解決手段】照明装置は、光源と、開始制御部と、切替制御部と、終了制御部とを有する。開始制御部は、分光分布の異なる少なくとも２種類の光源の制御を開始する。切替制御部は、開始制御部による光源の制御の開始に伴い、分光分布の異なる光源の組み合わせ及び光源それぞれの強度の少なくとも一つを切り替えるよう予め設定された光源の点灯パターンの切替制御を順次実行する。終了制御部は、切替制御部によって光源の少なくとも全ての予め設定された点灯パターンへの切替制御が実行された後に、光源の制御を終了する。【選択図】図１
2014102978.tif 000002
【特許請求の範囲】
【請求項１】
分光分布の異なる少なくとも２種類の光源と、
前記光源の制御を開始する開始制御部と、
前記光源の制御の開始に伴い、前記分光分布の異なる前記光源の組み合わせ及び前記光源それぞれの強度の少なくとも一方を切り替えるよう予め設定された前記光源の点灯パターンの切替制御を順次実行する切替制御部と、
前記光源の少なくとも全ての予め設定された点灯パターンへの切替制御が実行された後に、前記光源の制御を終了する終了制御部と
を有することを特徴とする照明装置。
【請求項２】
前記切替制御部は、前記光源の照明対象であって、色がそれぞれ異なる第１照明対象と第２照明対象との人の知覚による色の差が変動するように、前記切替制御を順次実行することを特徴とする請求項１に記載の照明装置。
【請求項３】
前記切替制御部は、照明選択信号を受信した場合に、実行中の前記切替制御の情報を記憶部に記録することを特徴とする請求項１に記載の照明装置。
【請求項４】
前記切替制御部は、前記記憶部に記録された前記切替制御の情報をもとに、前記切替制御を順次実行することを特徴とする請求項３に記載の照明装置。
【請求項５】
前記光源の照明対象の分類を設定する分類設定部をさらに有し、
前記切替制御部は、設定された前記光源の照明対象の分類に応じて、前記切替制御を順次実行することを特徴とする請求項１に記載の照明装置。
【請求項６】
前記光源を使用する環境を設定する環境設定部をさらに有し、
前記切替制御部は、設定された環境に応じて、前記切替制御を順次実行することを特徴とする請求項１に記載の照明装置。
【請求項７】
前記開始制御部は、前記光源による照明の消灯状態又は所定の点灯状態において、前記光源の制御を開始し、
前記終了制御部は、前記光源による照明を前記消灯状態又は前記所定の点灯状態に戻すことを特徴とする請求項１に記載の照明装置。
【請求項８】
前記切替制御部は、一定の時間間隔で前記切替制御を順次実行することを特徴とする請求項１に記載の照明装置。
【請求項９】
前記切替制御部は、間隔指示信号を受信した場合に、前記一定の時間間隔とは異なる時間間隔で前記切替制御を順次実行することを特徴とする請求項８に記載の照明装置。
【請求項１０】
前記開始制御部は、開始信号を受信した場合に、前記光源の制御を開始し、
前記終了制御部は、終了信号を受信した場合に、前記光源の制御を終了することを特徴とする請求項１に記載の照明装置。
【請求項１１】
前記切替制御部は、切替信号を受信した場合に、前記切替制御を実行することを特徴とする請求項１に記載の照明装置。
【請求項１２】
前記切替制御部は、一時停止信号を受信した場合に前記切替制御の順次実行を一時停止し、再開信号を受信した場合に一時停止した前記切替制御の順次実行を再開することを特徴とする請求項１に記載の照明装置。
【請求項１３】
前記終了制御部は、全ての前記切替制御が実行された場合に、前記光源の制御を終了することを特徴とする請求項１に記載の照明装置。
【発明の詳細な説明】
【技術分野】
【０００１】
本発明の実施形態は、照明装置に関する。
【背景技術】
【０００２】
従来、照明の対象それぞれの分光反射率の差を強調するように、任意の照明光の環境下において分光フィルタを最適化する技術がある。照明の対象それぞれの分光反射率の差を強調できれば、色が類似した対象であっても、それらの色の違いを判別できる。
【先行技術文献】
【特許文献】
【０００３】
【特許文献１】特開２０１０−２１７８８２号公報
【発明の概要】
【発明が解決しようとする課題】
【０００４】
分光反射率は、照明の対象によっては個人差や個体差が大きい場合がある。分光反射率の個人差や個体差が大きい対象である場合には、分光フィルタの最適なパラメタを一意に決定することが困難になる。
【０００５】
本発明が解決しようとする課題は、対象の色の違いを容易に判別させることができる照明装置を提供することである。
【課題を解決するための手段】
【０００６】
実施形態の照明装置は、光源と、開始制御部と、切替制御部と、終了制御部とを有する。開始制御部は、分光分布の異なる少なくとも２種類の光源の制御を開始する。切替制御部は、光源の制御の開始に伴い、分光分布の異なる光源の組み合わせ及び光源それぞれの強度の少なくとも一つを切り替えるよう予め設定された光源の点灯パターンの切替制御を順次実行する。終了制御部は、光源の少なくとも全ての予め設定された点灯パターンへの切替制御が実行された後に、光源の制御を終了する。
【図面の簡単な説明】
【０００７】
【図１】第１の実施形態に係る照明装置の構成を示すブロック図。
【図２】照明装置を適用した鏡を示す図。
【図３Ａ】人の部位ごとの分光反射率を示す図。
【図３Ｂ】人の部位ごとの分光反射率を示す図。
【図４】人の素肌に異なる化粧品を塗ったときの分光反射率を示す図。
【図５】第１の実施形態に係る光源制御処理の流れを示すフローチャート。
【図６】第２の実施形態に係る照明装置の構成を示すブロック図。
【図７】第２の実施形態に係る光源制御処理の流れを示すフローチャート。
【図８】第３の実施形態に係る照明装置の構成を示すブロック図。
【図９】第３の実施形態に係る光源制御処理の流れを示すフローチャート。
【図１０】第４の実施形態に係る照明装置の構成を示すブロック図。
【図１１】第４の実施形態に係る光源制御処理の流れを示すフローチャート。
【発明を実施するための形態】
【０００８】
（第１の実施形態）
図１は、第１の実施形態に係る照明装置の構成例を示すブロック図である。図１に示すように、照明装置１００は、光源１０１と、開始制御部１１０と、切替制御部１２０と、終了制御部１３０とを有する。
【０００９】
光源１０１は、切替制御部１２０による制御にしたがって、分光分布の異なる少なくとも２種類の光を照射する。分光分布の異なる少なくとも２種類の光とは、２種類以上の照明光の分光特性がそれぞれ異なることを表している。例えば、光源１０１は、ＬＥＤ（Light  Emitting  Diode）照明や有機ＥＬ（Electro‐Luminescence）照明、調光可能な蛍光灯等である。
【００１０】
切替制御部１２０によって制御されていないときには、消灯、又は所定の照明を点灯している状態であるものとする。所定の照明とは、生活や作業等で使用される照明である。例えば、所定の照明は、規格番号「ＪＩＳ  Ｚ  ８７２０」で定められた標準イルミナントや補助イルミナント、規格番号「ＪＩＳ  Ｚ  ８７１９」で定められた代表的な蛍光ランプの分光分布である。
【００１１】
開始制御部１１０は、光源１０１の制御を開始する。より具体的には、開始制御部１１０は、光源１０１の制御を開始するための信号を表す開始信号を受信した場合に、光源１０１の制御開始を切替制御部１２０に指示する。開始信号は、照明装置１００に配置されたスイッチや、照明装置１００を操作するためのリモートコントローラ等を利用してユーザ操作により入力される。また、開始制御部１１０は、開始信号を受信したときの光源１０１の状態を取得し、取得した光源１０１の状態を終了制御部１３０に対して通知する。光源１０１の状態とは、消灯状態、又はどのような点灯状態であるかを表す情報である。上述したように、光源１０１が切替制御部１２０によって制御されていないときには、消灯状態又は所定の照明の点灯状態となる。
【００１２】
切替制御部１２０は、開始制御部１１０による制御開始の指示に伴い、分光分布の異なる光源１０１の組み合わせと個々の光源１０１の強度の少なくとも一方を切り替える切替制御を順次実行する。より具体的には、切替制御部１２０は、光源１０１の照明対象であって、色がそれぞれ異なる第１照明対象と第２照明対象との、人の知覚による色の差が変動するように、切替制御を順次実行する。切替制御の切り替えタイミングは、照明対象の色の違いを人が判別可能な時間間隔であり、例えば５秒ごと等の一定の時間間隔である。光源１０１の照明は、切替制御が順次実行されることにより、それぞれ異なる分光分布に順次切り替わる。本実施形態では、照明の用途に応じて予め設定された複数の異なる分光分布が利用される。
【００１３】
本実施形態に係る照明装置１００の照明は、色が類似していて一般的な照明下で色の違いを判別しづらい第１照明対象と第２照明対象とに対し、複数の異なる分光分布の照明光で色の差を変動させることにより、ユーザが肉眼で容易に判別可能とするためのものである。例えば、化粧品を塗っていない肌（第１照明対象）と、化粧品を塗った肌（第２照明対象）とのように、実際には色がそれぞれ異なる対象であるものの、一般的な照明下で色の違いを判別しづらい対象を判別可能とするためのものである。
【００１４】
図２は、照明装置１００を適用した鏡の例を示す図である。図２に示すように、照明装置１００を適用した鏡１には、鏡１の両側面に光源１０１が配設されている。ユーザは、化粧品を塗った後に、スイッチやリモートコントローラを利用して開始信号を入力し、切替制御が順次実行される光源１０１の照明光に照らされた自身の肌を鏡１で確認することで、斑な部分があるかどうかを判別する。
【００１５】
図３Ａは、人の部位ごとの分光反射率の例を示す図である。図３Ｂは、図３Ａに示した人とは異なる人の部位ごとの分光反射率の例を示す図である。図３Ａ及び図３Ｂにおいて、縦軸は分光反射率を表し、横軸は波長を表している。また、各部位については、額を破線で表し、鼻を二点鎖線で表し、頬を実線で表し、目の下を一点鎖線で表している。図３Ａ及び図３Ｂは化粧品を塗っていない肌の分光反射率であるが、同一人物であっても、顔の部位（額、鼻、頬、目の下）ごとに異なることがわかる。また、分光反射率の傾向は、人によって様々であることがわかる。
【００１６】
図４は、人の素肌と人の素肌に異なる化粧品を塗ったときとの分光反射率の例を示す図である。図４において、縦軸は分光反射率を表し、横軸は波長を表している。また、人の素肌を実線で表し、化粧品「Ａ」を一点鎖線で表し、化粧品「Ｂ」を破線で表している。図４は同一人物に異なる化粧品を塗った肌の分光反射率であるが、化粧品の違いにより分光反射率もそれぞれ異なることがわかる。また、素肌と各化粧品を塗った後の肌とを比較すると、差が表れる波長帯域もそれぞれ異なることがわかる。すなわち、化粧品を塗っていない肌と化粧品を塗った肌とのように、対象それぞれの分光反射率に個人差が大きい場合には、従来技術のような分光フィルタの最適なパラメタを一意に決定することが困難になる。
【００１７】
このように、例えば化粧品を塗った肌と塗っていない肌との分光反射率は、個人差や化粧品による差が大きいだけでなく、同一人物であっても顔の部位によって異なる。そのため、予め光源の組み合わせを複数種類設定しておく。但し、ユーザはどの設定による照明が適切であるか、実際にユーザの肌に照明光を照射してみないと判断することはできない。そこで、予め設定した複数種類の設定による照明光の全てをユーザに確認させる。
【００１８】
ここで、第１照明対象と第２照明対象とをユーザが判別しやすくするための照明の求め方について説明する。例えば、国際照明委員会（ＣＩＥ）の定めるＵ＊Ｖ＊Ｗ＊色空間やＣＩＥ１９７６Ｌ＊ａ＊ｂ＊色空間、ＣＩＥΔ９４Ｌ＊ａ＊ｂ＊色空間、ＣＩＥＤＥ２０００Ｌ＊ａ＊ｂ＊色空間等の均等色空間や、順応を考慮したＣＩＥＣＡＭ０２色空間における、第１照明対象と第２照明対象との色の差で求める。色の差は、Ｌ＊ａ＊ｂ＊色空間の場合、２点間の距離である色差ΔＥ＊ａｂや、ａ＊ｂ＊空間内の２点間の距離や、ａ＊ｂ＊空間内の２点間の色相角の差で求める。
【００１９】
次に、第１照明対象と第２照明対象との色を算出する手法について説明する。ここでは、Ｌ＊ａ＊ｂ＊色空間を利用する場合を例に挙げて説明する。照明対象の三刺激値Ｘ，Ｙ，Ｚは、照明の分光分布Ｐ（λ）と、照明対象の分光反射率Ｒ（λ）と、等色関数とから（数１）により求められる。（数１）において、ｋは、（数２）で表される。なお、積分「∫ｖｉｓ」は、可視波長域でとるものとする。そして、国際照明委員会の定める規定の変換公式を使用して、三刺激値Ｘ，Ｙ，ＺからＬ＊ａ＊ｂ＊色空間の色度座標を求める。
【数１】
2014102978.tif 000003
【数２】
2014102978.tif 000004
【００２０】
第１照明対象と第２照明対象とをユーザが判別しやすくするための照明は、異なるピーク波長を有する複数の光源を組み合わせて、生成し得る照明の波長ごとに色の差を算出し、色の差が最大となった組み合わせが設定される。また、第１照明対象と第２照明対象とがそれぞれ複数対存在する場合には、各対に対しての照明を求めても良いし、各対に対して求めた照明から、クラスタリング手法、或いは主成分分析等により、代表的な照明を複数求めても良い。すなわち、照明の用途によって、長い時間を要さないようにする等、代表的な照明を好適な数にすれば良い。これらにより、分光反射率に個人差又は個体差の存在する照明対象であっても、その影響を受けることなく、照明光のうち少なくとも一つで、色の違いの判別が容易になる。
【００２１】
このような照明光の切替制御を順次実行する切替制御部１２０は、切替制御を終了し、切替制御が終了したことを表す終了信号を終了制御部１３０に対して送信する。切替制御を終了し、終了信号を送信するタイミングは、切替制御の順次実行による照明の点灯が一巡したときに行なわれても良いし、予め設定された時間や切替回数等に応じて行なわれても良い。この他、ユーザ操作により切替制御を終了するための指示を受け付けた場合に、終了信号を送信しても良い。但し、終了信号を送信するタイミングは、照明対象の色の違いをユーザが判別するために、切替制御の順次実行が少なくとも一巡した後に行なわれることが好ましい。そこで、切替制御の順次実行が一巡する前にユーザ操作で終了が指示されると、切替制御が一巡した後に終了信号を送信する。若しくは、切替制御の順次実行が一巡する前にユーザ操作で終了が指示されると、そのユーザ操作は無効と判断しても良い。
【００２２】
終了制御部１３０は、光源１０１の制御を終了する。より具体的には、終了制御部１３０は、切替制御部１２０から終了信号を受信した場合に、光源１０１の制御を終了する。このとき、終了制御部１３０は、開始制御部１１０によって通知された光源１０１の状態に戻す。開始制御部１１０によって通知された光源１０１の状態とは、消灯状態、又は所定の点灯状態のことである。すなわち、終了制御部１３０は、切替制御部１２０による光源１０１に対する切替制御処理が完了した場合に、切替制御処理が行なわれる前の状態に光源１０１を戻す。
【００２３】
次に、図５を用いて、第１の実施形態に係る光源制御処理の流れを説明する。図５は、第１の実施形態に係る光源制御処理の流れの例を示すフローチャートである。なお、図５では、ユーザ操作により切替制御を終了する指示を受け付ける場合を例に挙げる。
【００２４】
図５に示すように、開始制御部１１０は、光源１０１の制御を開始するための開始信号を受信した場合に（ステップＳ１０１：Ｙｅｓ）、光源１０１の制御開始を切替制御部１２０に指示する（ステップＳ１０２）。このとき、開始制御部１１０は、光源１０１の状態を終了制御部１３０に対して通知する。一方、開始制御部１１０は、開始信号を受信していない場合に（ステップＳ１０１：Ｎｏ）、開始信号の受信待ちの状態となる。
【００２５】
切替制御部１２０は、開始制御部１１０による光源１０１の制御開始指示に伴い、分光分布の異なる光源１０１の組み合わせや、光源１０１それぞれの強度を切り替える切替制御を順次実行する（ステップＳ１０３）。切替制御を順次実行しているときに、切替制御部１２０は、ユーザ操作により切替制御を終了する指示を受け付けたか否かを判定する（ステップＳ１０４）。このとき、切替制御部１２０は、切替制御を終了する指示を受け付けた場合に（ステップＳ１０４：Ｙｅｓ）、切替制御の順次実行が一巡しているか否かを判定する（ステップＳ１０５）。一方、切替制御部１２０は、切替制御を終了する指示を受け付けていない場合に（ステップＳ１０４：Ｎｏ）、継続して切替制御を順次実行する（ステップＳ１０３）。
【００２６】
また、切替制御部１２０は、切替制御の順次実行が一巡したと判定した場合に（ステップＳ１０５：Ｙｅｓ）、切替制御を終了し、切替制御が終了したことを表す終了信号を終了制御部１３０に対して送信する（ステップＳ１０６）。一方、切替制御部１２０は、切替制御の順次実行が一巡していないと判定した場合に（ステップＳ１０５：Ｎｏ）、継続して切替制御を順次実行する（ステップＳ１０３）。但し、切替制御を終了する指示を受け付けているため、切替制御部１２０は、切替制御の順次実行により一巡したときに、切替制御を終了して終了信号を終了制御部１３０に対して送信する。終了制御部１３０は、切替制御部１２０から終了信号を受信した場合に、開始制御部１１０によって通知された状態に光源１０１を戻して、光源１０１の制御を終了する（ステップＳ１０７）。
【００２７】
本実施形態によれば、人の知覚による色の差が変動するように、照明対象に光を照射する光源１０１に対して、異なる光源１０１の組み合わせに切り替える制御を順次実行するので、色が類似した照明対象の色の違いをユーザに容易に判別させることができる。また、本実施形態によれば、切替制御が一巡した後に終了信号を送信するため、予め設定した全ての設定による照明光をユーザに確認させることができる。
【００２８】
（第２の実施形態）
図６は、第２の実施形態に係る照明装置の構成例を示すブロック図である。第２の実施形態では、第１の実施形態と同様の構成については同一の符号を付し、同様の構成については詳細な説明を省略する場合がある。第２の実施形態では、以下に示す切替制御部２２０、記憶部２４０以外の機能及び構成、処理については第１の実施形態と同様である。
【００２９】
図６に示すように、照明装置２００は、光源１０１と、開始制御部１１０と、切替制御部２２０と、終了制御部１３０と、記憶部２４０とを有する。第２の実施形態は、ユーザが希望する照明の制御情報を記憶部２４０に記録し、記録した照明の制御情報をもとに切替制御を順次実行するところが第１の実施形態とは異なる。
【００３０】
より具体的には、切替制御部２２０は、切替制御の実行中に、ユーザ操作により照明が選択されたことを表す照明選択信号を受信した場合に、実行中の切替制御の情報を記憶部２４０に記録する。記憶部２４０に記録される切替制御の情報は、複数であっても良い。なお、切替制御の情報は、上書きすることも可能である。
【００３１】
また、切替制御部２２０は、記憶部２４０に切替制御の情報が記録された後、光源１０１の制御開始の指示を受け付けた場合に、記憶部２４０に記憶された切替制御の情報をもとに、切替制御を順次実行する。すなわち、本実施形態では、ユーザに適している照明のパターンを記録するので、記録後にはユーザに適した照明のみを光源１０１に点灯させることができる。
【００３２】
次に、図７を用いて、第２の実施形態に係る光源制御処理の流れを説明する。図７は、第２の実施形態に係る光源制御処理の流れの例を示すフローチャートである。なお、第１の実施形態に係る光源制御処理と同様の処理についてはその説明を省略する場合がある。具体的には、ステップＳ２０１〜ステップＳ２０３は、ステップＳ１０１〜ステップＳ１０３における処理と同様である。また、ステップＳ２０６〜ステップＳ２０９は、ステップＳ１０４〜ステップＳ１０７における処理と同様である。
【００３３】
図７に示すように、切替制御を順次実行しているときに、切替制御部２２０は、ユーザ操作により照明が選択されたことを表す照明選択信号を受信した場合に（ステップＳ２０４：Ｙｅｓ）、実行中の切替制御の情報を記憶部２４０に記録する（ステップＳ２０５）。一方、切替制御を順次実行しているときに、切替制御部２２０は、照明選択信号が受信されない場合に（ステップＳ２０４：Ｎｏ）、ユーザ操作により切替制御を終了する指示を受け付けたか否かを判定する（ステップＳ２０６）。
【００３４】
なお、記憶部２４０に記録された切替制御の情報をもとに切替制御を順次実行する場合は、ステップＳ１０３やステップＳ２０３における処理において、記憶部２４０から切替制御の情報が取得され、対応する照明が出力されることになる。
【００３５】
本実施形態によれば、ユーザに適している照明のパターンを記録し、記録した照明のパターンにより光源１０１を点灯するので、照明対象の色の違いをより早くユーザに判別させることができる。例えば、切替制御を順次実行しているときに、ユーザは色の違いを判別しやすい照明のパターンを複数選択し、切替制御終了後に選択した照明のパターンだけを切り替えて見比べることができる。また、例えば、化粧した肌と素肌とを見分けるときに、顔の部位ごとに最適な照明のパターンを選択することができる。
【００３６】
（第３の実施形態）
図８は、第３の実施形態に係る照明装置の構成例を示すブロック図である。第３の実施形態では、第１の実施形態と同様の構成については同一の符号を付し、同様の構成については詳細な説明を省略する場合がある。第３の実施形態では、以下に示す切替制御部３２０、分類設定部３５０以外の機能及び構成、処理については第１の実施形態と同様である。
【００３７】
図８に示すように、照明装置３００は、光源１０１と、開始制御部１１０と、切替制御部３２０と、終了制御部１３０と、分類設定部３５０とを有する。第３の実施形態は、照明対象の分類をユーザ操作により設定するところが第１の実施形態とは異なる。
【００３８】
より具体的には、分類設定部３５０は、光源１０１の照明対象の分類を、ユーザ操作により受け付けて設定する。そして、分類設定部３５０は、設定した分類を切替制御部３２０に対して通知する。照明対象の分類の設定とは、照明の用途を設定することである。すなわち、上記実施形態では照明の用途に応じて予め設定された複数の異なる分光分布が利用されることとして説明したが、本実施形態では、照明の用途はユーザにより設定される。換言すると、照明対象によってユーザが判別しやすい照明も異なるため、照明対象の分類をユーザが設定する。
【００３９】
照明対象の組み合わせは、例えば以下のものがある。第１照明対象「化粧品を塗っていない肌」に対して、第２照明対象が「化粧品を塗った肌」となる。また、第１照明対象「酸化したフルーツジュース」に対して、第２照明対象が「酸化前のフルーツジュース」となる。また、第１照明対象「車の塗装が薄い部分」に対して、第２照明対象が「車の塗装が厚い部分」となる。これらそれぞれの照明対象に対して、人の知覚による色の差が変動するような照明は異なる。ユーザは、照明対象の分類を「化粧」、「ジュース」、「車」等の中から用途に応じて選択する。なお、照明対象の分類については、上記のものに限られるわけではない。さらには、化粧品の種類や果物の種類、塗料の種類等、より詳細な分類を設定できるようにしても良い。
【００４０】
切替制御部３２０は、分類設定部３５０によって設定された光源１０１の照明対象の分類に応じて、切替制御を順次実行する。より具体的には、切替制御部３２０は、分類設定部３５０によって設定された照明対象の分類に対応する照明光の切り替えパターンを取得し、取得した切り替えパターンで切替制御を順次実行する。切り替えパターンについては、照明装置３００に配設されたメモリから取得しても良いし、ネットワークを介して外部の記憶装置から取得するようにしても良い。
【００４１】
次に、図９を用いて、第３の実施形態に係る光源制御処理の流れを説明する。図９は、第３の実施形態に係る光源制御処理の流れの例を示すフローチャートである。なお、第１の実施形態に係る光源制御処理と同様の処理についてはその説明を省略する場合がある。具体的には、ステップＳ３０１〜ステップＳ３０２は、ステップＳ１０１〜ステップＳ１０２における処理と同様である。また、ステップＳ３０５〜ステップＳ３０８は、ステップＳ１０４〜ステップＳ１０７における処理と同様である。
【００４２】
図９に示すように、分類設定部３５０は、ユーザ操作により光源１０１の照明対象の分類を受け付けて設定する（ステップＳ３０３）。切替制御部３２０は、分類設定部３５０によって設定された光源１０１の照明対象の分類に対応する照明光の切り替えパターンを取得し、取得した切り替えパターンで切替制御を順次実行する（ステップＳ３０４）。
【００４３】
本実施形態によれば、ユーザ操作により受け付けた照明対象の分類を設定し、設定した分類に対応する切替制御を順次実行するので、用途に合わせて好適な照明を光源１０１に点灯させることができる。
【００４４】
（第４の実施形態）
図１０は、第４の実施形態に係る照明装置の構成例を示すブロック図である。第４の実施形態では、第１の実施形態と同様の構成については同一の符号を付し、同様の構成については詳細な説明を省略する場合がある。第４の実施形態では、以下に示す切替制御部４２０、環境設定部４６０以外の機能及び構成、処理については第１の実施形態と同様である。
【００４５】
図１０に示すように、照明装置４００は、光源１０１と、開始制御部１１０と、切替制御部４２０と、終了制御部１３０と、環境設定部４６０とを有する。第４の実施形態は、光源１０１を使用する環境をユーザ操作により設定するところが第１の実施形態とは異なる。
【００４６】
より具体的には、環境設定部４６０は、光源１０１を使用する環境を、ユーザ操作により受け付けて設定する。そして、環境設定部４６０は、設定した環境を切替制御部４２０に対して通知する。光源１０１を使用する環境は、屋内、屋外、気象状況等に応じて設定される。ユーザが選択できる照明は、標準的な照明であり、規格番号「ＪＩＳ  Ｚ  ８７２０」で定められた標準イルミナントや補助イルミナント、規格番号「ＪＩＳ  Ｚ  ８７１９」で定められた代表的な蛍光ランプの分光分布等になる。例えば、ユーザは、光源１０１を使用する環境を「太陽光」、「蛍光灯」、「白熱灯」等の中から環境に応じて選択する。さらには、上記実施形態で例を挙げた鏡１を利用する場合には、鏡１の反射特性を考慮して、設定された環境下で好適な照明を求めるようにしても良い。
【００４７】
切替制御部４２０は、環境設定部４６０によって設定された光源１０１を使用する環境に応じて、切替制御を順次実行する。より具体的には、切替制御部４２０は、環境設定部４６０によって設定された光源１０１を使用する環境に対応する照明光の切り替えパターンを取得し、取得した切り替えパターンで切替制御を順次実行する。切り替えパターンについては、照明装置４００に配設されたメモリから取得しても良いし、ネットワークを介して外部の記憶装置から取得するようにしても良い。
【００４８】
次に、図１１を用いて、第４の実施形態に係る光源制御処理の流れを説明する。図１１は、第４の実施形態に係る光源制御処理の流れの例を示すフローチャートである。なお、第１の実施形態に係る光源制御処理と同様の処理についてはその説明を省略する場合がある。具体的には、ステップＳ４０１〜ステップＳ４０２は、ステップＳ１０１〜ステップＳ１０２における処理と同様である。また、ステップＳ４０５〜ステップＳ４０８は、ステップＳ１０４〜ステップＳ１０７における処理と同様である。
【００４９】
図１１に示すように、環境設定部４６０は、ユーザ操作により光源１０１を使用する環境を受け付けて設定する（ステップＳ４０３）。切替制御部４２０は、環境設定部４６０によって設定された光源１０１を使用する環境に対応する照明光の切り替えパターンを取得し、取得した切り替えパターンで切替制御を順次実行する（ステップＳ４０４）。
【００５０】
本実施形態によれば、ユーザ操作により受け付けた光源１０１を使用する環境を設定し、設定した環境に対応する切替制御を順次実行するので、光源１０１を使用する環境が異なる場合においても、好適な照明を光源１０１に点灯させることができる。
【００５１】
（第５の実施形態）
さて、これまで照明装置の実施形態について説明したが、上述した実施形態以外にも種々の異なる形態にて実施されて良い。そこで、（１）切替制御の時間、（２）構成、について異なる実施形態を説明する。
【００５２】
（１）切替制御の時間
上記実施形態では、切替制御を順次実行するときに一定の時間間隔で切り替える場合を説明したが、切替制御の切り替えについては、時間を変更することもできる。より具体的には、切替制御部１２０は、ユーザ操作により間隔指示信号を受信した場合に、一定の時間間隔とは異なる時間間隔で切替制御を順次実行する。例えば、切替制御部１２０は、一定の時間間隔で切替制御を順次実行している状態において、時間間隔が指定された間隔指示信号を受信した場合に、間隔指示信号で指示された時間間隔で切替制御を順次実行する。
【００５３】
例を挙げると、切替制御部１２０は、一定の時間間隔で切替制御を順次実行している状態において、時間の延長を表す間隔指示信号を受信した場合に、一定の時間間隔よりも長い間隔で切替制御を順次実行する。また、切替制御部１２０は、一定の時間間隔で切替制御を順次実行している状態において、時間の短縮を表す間隔指示信号を受信した場合に、一定の時間間隔よりも短い間隔で切替制御を順次実行する。なお、時間間隔の延長や短縮の適用については、間隔指示信号を受信したときに実行されている切替制御のみに適用しても良いし、全ての切替制御に対して適用しても良い。
【００５４】
また、切替制御部１２０は、一定の時間間隔で切替制御を順次実行せず、ユーザ操作により切替信号を受信した場合に、切替制御を順次実行しても良い。また、切替制御部１２０は、一定の時間間隔や間隔指示信号に応じた時間間隔で切替制御を順次実行している状態において、ユーザ操作により一時停止信号を受信した場合に、切替制御の順次実行を一時停止しても良い。一時停止後、切替制御部１２０は、ユーザ操作により再開信号を受信した場合に、一時停止している切替制御の順次実行を再開しても良い。一時停止時には、一時停止したときに制御されていた照明が継続して照射される。また、再開時には、一時停止したときに制御されていた照明を照射しても良いし、再度はじめの切替制御のパターンに応じた照明を照射しても良い。
【００５５】
（２）構成
また、上記文書中や図面中等で示した処理手順、制御手順、具体的名称、各種のデータやパラメタ等を含む情報は、特記する場合を除いて任意に変更することができる。例えば、ユーザ操作により設定される、照明対象の分類や、光源を使用する環境等については、任意に変更することができる。また、図示した照明装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。例えば、開始制御部１１０と切替制御部１２０とを、開始信号を受信し、切替制御を順次実行する「切替制御開始部」として統合しても良い。
【００５６】
また、上述してきた実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。また、各実施形態は、内容を矛盾させない範囲で適宜組み合わせることが可能である。また、各実施形態やその変形は、発明の範囲や要旨に含まれるとともに、特許請求の範囲に記載された発明とその均等の範囲に含まれる。
【符号の説明】
【００５７】
１００  照明装置
１０１  光源
１１０  開始制御部
１２０  切替制御部
１３０  終了制御部
【図１】
2014102978.tif 000005
【図２】
2014102978.tif 000006
【図３Ａ】
2014102978.tif 000007
【図３Ｂ】
2014102978.tif 000008
【図４】
2014102978.tif 000009
【図５】
2014102978.tif 000010
【図６】
2014102978.tif 000011
【図７】
2014102978.tif 000012
【図８】
2014102978.tif 000013
【図９】
2014102978.tif 000014
【図１０】
2014102978.tif 000015
【図１１】
2014102978.tif 000016